(57)【要約】【課題】前記配管、ポンプ、タンクの内壁等への含有物質の付着堆積を防止してメンテナンスをフリーにすることは勿論のこと、地下水からの温水を効率よく安価に安定して供給する温水供給方法及びその装置を提供する。【解決手段】水道水の供給パイプの管内水道水と、地下水の供給パイプの管内地下水に、０．１〜１５ｋＨｚの電磁界を与えて小粒子化と含有浮遊物にアニオン（マイナスの電位をおびた原子）を付与した後、水道水は電極加熱装置により高温温水又は飽和蒸気にし、地下水はそのまま又は滅菌器とフィルターを介して熱交換器に導入して、高温温水又は飽和蒸気と地下水との熱交換を行い、昇温した温水化地下水を浴槽用温水泉として取り出し温水タンクに供給することを特徴とする温水化地下水の供給方法とその装置。【選択図】図１
2014206034.tif 000002
【特許請求の範囲】
【請求項１】
水道水の供給パイプの管内水道水と、地下水の供給パイプの管内地下水に、０．１〜１５ｋＨｚの電磁界を与えて小粒子化と含有浮遊物にアニオン（マイナスの電位をおびた原子）を付与した後、水道水は電極加熱装置（ボルケーノ）により高温温水又は飽和蒸気にし、地下水はそのまま又は滅菌器とフィルターを介して熱交換器に導入して、高温温水又は飽和蒸気と地下水との熱交換を行い、昇温した温水化地下水を浴槽用温水泉として取り出し温水タンクに供給することを特徴とする温水化地下水の供給方法。
【請求項２】
水道水の供給パイプの外周及び地下水の供給パイプの外周に、電磁界を与えて小粒子化と含有浮遊物にアニオン（マイナスの電位をおびた原子）を付与（ドールマンショック）するアニオン付与装置の電磁コイルを周設し、電磁コイルを周設した以降の水道水供給パイプに電極加熱装置を接続し、前記電磁コイルを周設した以降の地下水の供給パイプと前記極加熱装置からの高温温水又は飽和蒸気供給パイプを接続する熱交換器を設け、熱交換器からの昇温地下水を浴槽用温水として一時貯留する温泉タンクを設けたことを特徴とする温水化地下水の供給装置。
【発明の詳細な説明】
【技術分野】
【０００１】  本発明は、温泉宿、温泉ホテル、銭湯温泉等において低温度の地下水から浴槽用と洗い場用の温水を、効率よく安価に製造して供給する温水化地下水の供給方法及びその装置に関するものである。【０００２】  ８０度以上の温泉は、そのまま水道や地下水などの常温水と混合して浴槽用温泉として利用され、１００度を超える高温度の蒸気温泉は、汽水タンクに供給して液化した後、水道や地下水などの常温水と混合して浴槽用温泉として利用されている。
また地下深くから取り出す１００度を超える高温度の地熱蒸気は、地熱発電用蒸気として発電所に供給し、液化した熱水は有害な物質が含有されているため再び地下に復水されている。【０００３】而して、温泉の泉質は○独特の火山の噴気口の香りを思わせる鉱物臭がある塩化物泉、○白濁の硫黄泉、○単純泉、○重曹食塩泉、○水に通して温泉を造成する蒸気だけ源泉などがあるが、いずれの温泉も配管、ポンプ、造成タンクなどの各種タンクの内壁に含有物質が早期に強固に付着して機能障害を起こす。このためのメンテナンスには多大な時間と労力と費用を要すると共に設備寿命が短命である。【０００４】このためホテル、旅館、及び一般銭湯は、温泉源があるにも関わらず、地下水或いは水道水をボイラーで加熱し浴槽用として供給している。
しかし、ボイラーで加熱は多大な燃料と電気量を消費する一方、水道水や地下水は、温泉に比し含有物質が少ないとはいえ、配管、ポンプ、タンクの内壁等への付着堆積するため定期的なメンテナンスが必要である。
【発明の概要】
【発明が解決しようとする課題】
【０００５】  本発明は、前記配管、ポンプ、タンクの内壁等への含有物質の付着堆積を防止してメンテナンスをフリーにすることは勿論のこと、地下水からの温水を効率よく安価に安定して供給する温水供給方法及びその装置を提供する。
【課題を解決するための手段】
【０００６】  前記課題を解決する発明の特徴とする技術は次の（１）〜（２）の通りである。
（１）、水道水の供給パイプの管内水道水と、地下水の供給パイプの管内地下水に、０．１〜１５ｋＨｚの電磁界を与えて小粒子化と含有浮遊物にアニオン（マイナスの電位をおびた原子）を付与した後、水道水は電極加熱装置（ボルケーノ）により高温温水又は飽和蒸気にし、地下水はそのまま又は滅菌器とフィルターを介して熱交換器に導入して、高温温水又は飽和蒸気と地下水との熱交換を行い、昇温した温水化地下水を浴槽用温水泉として取り出し温水タンクに供給することを特徴とする温水化地下水の供給方法。【０００７】（２）、水道水の供給パイプの外周及び地下水の供給パイプの外周に、電磁界を与えて小粒子化と含有浮遊物にアニオン（マイナスの電位をおびた原子）を付与（ドールマンショック）する装置の電磁コイルを周設し、電磁コイルを周設した以降の水道水供給パイプに電極加熱装置を接続し、前記電磁コイルを周設した以降の地下水の供給パイプと前記極加熱装置からの高温温水又は飽和蒸気供給パイプを接続する熱交換器を設け、熱交換器からの昇温地下水を浴槽用温水として一時貯留する温泉タンクを設けたことを特徴とする温水化地下水の供給装置。
【発明の効果】
【０００８】  本発明の温水化地下水の方法及びその装置は、前記構成により次の優れた作用効果を呈して、配管、タンク、機器等への含有物質の付着堆積を防止して、前記メンテナンスをフリーにして設備の長寿命化を可能にし、温水化地下水の生産効率を大幅に高めたものである。【０００９】  即ち、地下水と水道水に予め電磁界を与えて小粒子化と含有浮遊物にアニオン（マイナスの電位をおびた原子）を付与して、以降の配管、タンク、機器等への含有物質の付着堆積を防止すると共に、水道水を電極加熱装置で高温度に加熱しこれで熱交換器において地下水と熱交換して、地下水を高温度の温水にして浴槽用温水を得て温水タンクに貯留し、旅館や銭湯の温泉浴槽に連続して安定供給することを可能にしたものである。
【図面の簡単な説明】
【００１０】
【図１】本発明の実施例１を示すシステムフロー説明図である。
【発明を実施するための形態】
【００１１】  本発明を実施するための一形態を後述の実施例により詳細に説明する。
【実施例１】
【００１２】  本実施例１は、前記特徴の（１）の方法と（２）の装置であり、これらを図１に示すシステムフローにより同時に説明する。
温水化地下水の方法及びその装置は、水道水供給装置１００と、地下水供給装置２００と、電極加熱装置３００と熱交換器４００と温水化地下水供給装置５００とからなる。【００１３】  水道水供給装置１００と地下水供給装置２００はそれぞれの供給パイプ１０１、２０１の外周に、管内水に電磁界を与えて小粒子化と含有浮遊物にアニオンを付与するアニオン付与装置（以下ドールマンショックと言う）１０２、２０２の電磁コイル１０２−１、２０２−１を周設してあり、これで電磁コイル１０２−１、２０２−１周設部の電磁界を通過した水道水と地下水は、含有浮遊物にアニオンが付与され、各種パイプや電極加熱装置３００、熱交換器４００、タンク、浴槽などの全ての接触面に対して含有浮遊物を付着堆積させることを防止して保全する。
水道水供給装置１００は、電磁コイル２０２−１で含有浮遊物にアニオンを付与した１３〜１６℃の水道水を電極加熱装置３００に供給する。【００１４】地下水供給装置２００は、地下水源２０３からポンプ２０４により１１〜１４℃の地下水を８００〜１３００ｌ／ｍｉｎ汲み上げ、含有浮遊物にアニオンを付与して供給パイプ２０１から熱交換器４００に供給する。【００１５】  前記アニオン付与装置（以下ドールマンショックと言う）１０２、２０２の仕様は表１の通りである。【００１６】
【表１】
2014206034.tif 000003
【００１７】  電極加熱装置３００は、水道水に二対の＋電極３０１と−電極３０２から電気エネルギーを与え水道水中にあるミネラル部分に放電して瞬時に加熱（過熱）するものであり、市販装置としては商品名が「電気式ドライスチームジェネレータ（Ｅｌｅｃｔｒｉｃ  Ａｔｏｍｉｃ  Ｄｒｙ  Ｓｔｅｒｍ  Ｇｅｎｅｒａｔｏｒ）Ａｃｔｉｖｅ  Ｖｏｌｃａｎｏ：アクティブ  ボルケーノ  ９００ｓ：湯言外者福山産業社製」が最適である。【００１８】  熱交換器４００は、ＳＵＳ製の収容室４０２の一方を電極加熱装置３００からの供給パイプ３０３に接続して高温水又は飽和蒸気を導入し、他方を電極加熱装置３００への戻りパイプ３０４に接続して低温度液化したし水道水を戻し循環する。
熱交換器４００のＳＵＳ製の熱交換パイプ４０１は、一方に地下水供給パイプ２０１を接続し、他方を温水化地下水供給装置５００の温水供給パイプ５０１に接続する。【００１９】これで熱交換器４００は、収容室４０２中の高温度水道水流又は飽和蒸気流に対して、熱交換パイプ４０１内の地下水流とは向流状態での熱交換作用をして効率良く地下水の温度を７０℃以上の温水にして温水化地下水供給装置５００の温水タンク５０２に供給し一旦貯蔵され、温水供給パイプ５０３から温水浴槽６００及び温水浴槽６００近くの洗い場６０１等に安定供給する。
供給する。【００２０】  次に本実施例による具体例と作用効果を表２に紹介する。
この表から明らかのように本発明の具体例は比較例に比べ、配管、タンク、機器等への含有物質の付着堆積を防止して、これらのメンテナンスをフリーにして設備の長寿命化を可能にし、高温度の温水化地下水生産効率を大幅に高めたものである。【００２１】
【表２】
2014206034.tif 000004
【産業上の利用可能性】
【００２２】  本発明は、前述の優れた効果を有するため、ホテル、旅館、銭湯業界に多大な貢献をもたらすものである。
【符号の説明】
【００２２】１００：水道水供給装置
２００：地下水供給装置
１０２、２０２：アニオン付与装置
３００：電極加熱装置
４００：熱交換器
５００：温水化地下水供給装置
【図１】
2014206034.tif 000005